(57)【特許請求の範囲】
【請求項１】
自身のレーベル面に印刷されている情報であるレーベル情報が含まれた所定のデータが書き込まれている記録済メディアのエラーレートを測定するエラーレート測定部と、
前記エラーレート測定部による測定結果が、予め設定された所定の閾値以下か否かを判定するエラーレート判定部と、
前記記録済メディアに記録されている前記所定のデータを読み取るデータ読み取り部と、
前記エラーレート判定部による判定の結果、前記測定結果が前記所定の閾値を超過した場合、前記データ読み取り部により読み取られた前記所定のデータを、他のメディアに書き込むデータ書き込み部と、
メディアのレーベル面に印刷を行なうレーベル印刷部と、
前記データ読み取り部により読み取られた前記所定のデータから、前記レーベル情報を取得するレーベル情報取得部と、を備え、
前記レーベル印刷部は、
前記エラーレート判定部による判定の結果、前記測定結果が前記所定の閾値を超過した場合、前記他のメディアのレーベル面に、前記レーベル情報に基づく印刷を実行することを特徴とするメディア処理システム。
【請求項２】
前記レーベル印刷部は、
前記エラーレート判定部による判定の結果、前記測定結果が前記所定の閾値を超過した場合、前記記録済メディアのレーベル面に、その旨を示す情報を印刷することを特徴とする請求項１に記載のメディア処理システム。
【請求項３】
前記記録済メディアのウィルスチェックを実行するウィルスチェック部を、更に備え、
前記レーベル印刷部は、
前記エラーレート判定部による判定の結果、前記測定結果が前記所定の閾値を超過した場合、前記記録済メディアのレーベル面に、その旨を示すエラー情報を印刷し、
前記ウィルスチェック部によるウィルスチェックの結果、ウィルスが検出された場合、前記記録済メディアのレーベル面に、その旨を示すエラー情報を印刷することを特徴とする請求項１に記載のメディア処理システム。
【請求項４】
前記レーベル印刷部は、
前記エラーレート判定部による判定の結果、前記測定結果が前記所定の閾値以下である場合、前記記録済メディアのレーベル面に、測定した前記エラーレートに関するエラーレート情報を印刷することを特徴とする請求項１ないし３のいずれか１項に記載のメディア処理システム。
【請求項５】
前記エラーレート情報には、
前記エラーレートの最大値および前記エラーレートを示すグラフの内の、少なくとも一方が含まれていることを特徴とする請求項４に記載のメディア処理システム。
【請求項６】
前記エラーレート測定部、前記データ読み取り部、前記データ書き込み部および前記レーベル印刷部を有するメディア処理装置と、前記エラーレート判定部および前記レーベル情報取得部を有する情報処理装置と、から成り、前記メディア処理装置と前記情報処理装置とは通信可能に接続されていることを特徴とする請求項１ないし５のいずれか１項に記載のメディア処理システム。
【請求項７】
自身のレーベル面に印刷されている情報であるレーベル情報が含まれた所定のデータが書き込まれている記録済メディアのエラーレートを測定するエラーレート測定ステップと、
前記エラーレート測定ステップによる測定結果が、予め設定された所定の閾値以下か否かを判定するエラーレート判定ステップと、
前記記録済メディアに記録されている前記所定のデータを読み取るデータ読み取りステップと、
前記エラーレート判定ステップによる判定の結果、前記測定結果が前記所定の閾値を超過した場合、前記データ読み取りステップにより読み取られた前記所定のデータを、他のメディアに書き込むデータ書き込みステップと、
メディアのレーベル面に印刷を行なうレーベル印刷ステップと、
前記データ読み取りステップにより読み取られた前記所定のデータから、前記レーベル情報を取得するレーベル情報取得ステップと、を実行し、
前記レーベル印刷ステップは、
前記エラーレート判定ステップによる判定の結果、前記測定結果が前記所定の閾値を超過した場合、前記他のメディアのレーベル面に、前記レーベル情報に基づく印刷を実行することを特徴とするメディア処理システムの制御方法。
【請求項８】
前記レーベル印刷ステップは、
前記エラーレート判定ステップによる判定の結果、前記測定結果が前記所定の閾値を超過した場合、前記記録済メディアのレーベル面に、その旨を示す情報を印刷することを特徴とする請求項７に記載のメディア処理システムの制御方法。
【請求項９】
前記記録済メディアのウィルスチェックを実行するウィルスチェックステップを、更に実行し、
前記レーベル印刷ステップは、
前記エラーレート判定ステップによる判定の結果、前記測定結果が前記所定の閾値を超過した場合、前記記録済メディアのレーベル面に、その旨を示すエラー情報を印刷し、
前記ウィルスチェックステップによるウィルスチェックの結果、ウィルスが検出された場合、前記記録済メディアのレーベル面に、その旨を示すエラー情報を印刷することを特徴とする請求項７に記載のメディア処理システムの制御方法。
【請求項１０】
前記レーベル印刷ステップは、
前記エラーレート判定ステップによる判定の結果、前記測定結果が前記所定の閾値以下である場合、前記記録済メディアのレーベル面に、測定した前記エラーレートに関するエラーレート情報を印刷することを特徴とする請求項７ないし９のいずれか１項に記載のメディア処理システムの制御方法。
【請求項１１】
自身のレーベル面に印刷されている情報であるレーベル情報が含まれた所定のデータが書き込まれている記録済メディアのエラーレートを測定するエラーレート測定部と、
前記記録済メディアに記録されている前記所定のデータを読み取るデータ読み取り部と、
前記エラーレート測定部による測定結果が、予め設定された所定の閾値を超過した場合、前記データ読み取り部により読み取られた前記所定のデータを、他のメディアに書き込むデータ書き込み部と、
メディアのレーベル面に印刷を行なうレーベル印刷部と、
前記データ読み取り部により読み取られた前記所定のデータから、前記レーベル情報を取得するレーベル情報取得部と、を備え、
前記レーベル印刷部は、
前記測定結果が前記所定の閾値を超過した場合、前記他のメディアのレーベル面に、前記レーベル情報に基づく印刷を実行することを特徴とするメディア処理装置。
【請求項１２】
前記レーベル印刷部は、
前記測定結果が前記所定の閾値を超過した場合、前記記録済メディアのレーベル面に、その旨を示す情報を印刷することを特徴とする請求項１１に記載のメディア処理装置。
【請求項１３】
前記記録済メディアのウィルスチェックを実行するウィルスチェック部を、更に備え、
前記レーベル印刷部は、
前記測定結果が前記所定の閾値を超過した場合、前記記録済メディアのレーベル面に、その旨を示すエラー情報を印刷し、
前記ウィルスチェック部によるウィルスチェックの結果、ウィルスが検出された場合、前記記録済メディアのレーベル面に、その旨を示すエラー情報を印刷することを特徴とする請求項１１に記載のメディア処理装置。
【請求項１４】
前記レーベル印刷部は、
前記測定結果が前記所定の閾値以下である場合、前記記録済メディアのレーベル面に、測定した前記エラーレートに関するエラーレート情報を印刷することを特徴とする請求項１１ないし１３のいずれか１項に記載のメディア処理装置。
【発明の詳細な説明】
【技術分野】
【０００１】
本発明は、メディアに対しデータの書き込み、およびレーベル面の印刷を行なうことが可能なメディア処理システム、メディア処理システムの制御方法およびメディア処理装置に関するものである。
【背景技術】
【０００２】
従来、ＣＤやＤＶＤ等のメディア（光ディスク）に対して、データの書き込みやレーベル印刷を行なうメディア処理装置が知られている。この種のメディア処理装置では、複数枚のブランクメディアがセットされた供給用のスタッカーから、１のブランクメディアをメディアドライブに供給（搬送）してデータを書き込み、データが書き込まれたメディアを、内蔵のプリンターに供給してレーベル面の印刷を行ない、これにより作成（発行）されたメディアを回収スタッカーに排出する（例えば、特許文献１参照）。
【先行技術文献】
【特許文献】
【０００３】
【特許文献１】特開２００６−２０２３７９号公報
【発明の概要】
【発明が解決しようとする課題】
【０００４】
ところで、近年、書籍等をデジタル化し、デジタル化した電子文書の長期保存を目的として、上記のようなメディア処理装置を用いてＣＤやＤＶＤ等のメディア（光ディスク）に記録することが行なわれている。この記録媒体として用いられるＣＤやＤＶＤ等のメディアは、一定期間（数十年程度）の寿命がありデータの長期保存に適した媒体であるとされているが、現実的には、メディアの品質や保存環境等の様々な要因により劣化が進み、その寿命が変化する。このため、保管していたメディア（データ書き込み済メディア）が経年劣化により寿命に至り、これらメディアに記録されたデータが正しく読み出せなくなり、結果としてデータが消失してしまうという問題がある。しかしながら、上記のメディア処理装置では、メディアの状態（劣化の程度）を判定することができないため、上記問題に対応することができなかった。
【０００５】
本発明は上記の問題に鑑み、メディアの劣化状態に基づいて、当該メディアの複製を作成することができるメディア処理システム、メディア処理システムの制御方法およびメディア処理装置を提供することを目的とする。
【課題を解決するための手段】
【０００６】
本発明のメディア処理システムは、自身のレーベル面に印刷されている情報であるレーベル情報が含まれた所定のデータが書き込まれている記録済メディアのエラーレートを測定するエラーレート測定部と、エラーレート測定部による測定結果が、予め設定された所定の閾値以下か否かを判定するエラーレート判定部と、記録済メディアに記録されている所定のデータを読み取るデータ読み取り部と、エラーレート判定部による判定の結果、測定結果が所定の閾値を超過した場合、データ読み取り部により読み取られた所定のデータを、他のメディアに書き込むデータ書き込み部と、メディアのレーベル面に印刷を行なうレーベル印刷部と、データ読み取り部により読み取られた所定のデータから、レーベル情報を取得するレーベル情報取得部と、を備え、レーベル印刷部は、エラーレート判定部による判定の結果、測定結果が所定の閾値を超過した場合、他のメディアのレーベル面に、レーベル情報に基づく印刷を実行することを特徴とする。
【０００７】
また、本発明のメディア処理システムの制御方法は、自身のレーベル面に印刷されている情報であるレーベル情報が含まれた所定のデータが書き込まれている記録済メディアのエラーレートを測定するエラーレート測定ステップと、エラーレート測定ステップによる測定結果が、予め設定された所定の閾値以下か否かを判定するエラーレート判定ステップと、記録済メディアに記録されている所定のデータを読み取るデータ読み取りステップと、エラーレート判定ステップによる判定の結果、測定結果が所定の閾値を超過した場合、データ読み取りステップにより読み取られた所定のデータを、他のメディアに書き込むデータ書き込みステップと、メディアのレーベル面に印刷を行なうレーベル印刷ステップと、データ読み取りステップにより読み取られた所定のデータから、レーベル情報を取得するレーベル情報取得ステップと、を実行し、レーベル印刷ステップは、エラーレート判定ステップによる判定の結果、測定結果が所定の閾値を超過した場合、他のメディアのレーベル面に、レーベル情報に基づく印刷を実行することを特徴とする。
【０００８】
これらの構成によれば、記録済メディアのエラーレートを測定することにより、当該記録済メディアの品質（劣化程度）を判定することができる。さらに、エラーレートが閾値を超過している場合、即ち、記録済メディアの劣化が進んでいる場合、当該記録済メディアのデータを他のメディア（ブランクディスク）に書き込むことにより、記録済メディアの複製を作成することができる。これにより、データを長期保存する必要がある場合、記録済メディアの劣化によるデータの消失を予防すると共に、容易に、データの長期保存に適した品質を担保した新たなメディアを作成することができる。特に、大量の記録済メディアの状態を定期的に検査（確認）する必要がある場合においては、その検査作業にかかる手間を低減する（省力化する）ことができる。
また、記録済メディアの複製を作成する際に、複製となるメディア（他のメディア）のレーベル面に、記録済メディア（即ち、複製元のメディア）のレーベル面と同様の情報を印刷することができる。これにより、記録面に記録するデータのみならず、レーベル面も同じ内容のメディアの複製を作成することができる。
【００１１】
本発明のメディア処理システムにおいて、レーベル印刷部は、エラーレート判定部による判定の結果、測定結果が所定の閾値を超過した場合、記録済メディアのレーベル面に、その旨を示す情報を印刷することが好ましい。
【００１２】
この構成によれば、記録済メディアが不良である原因を一目で把握することができる。
本発明のメディア処理システムにおいて、記録済メディアのウィルスチェックを実行するウィルスチェック部を、更に備え、レーベル印刷部は、エラーレート判定部による判定の結果、測定結果が所定の閾値を超過した場合、記録済メディアのレーベル面に、その旨を示すエラー情報を印刷し、ウィルスチェック部によるウィルスチェックの結果、ウィルスが検出された場合、記録済メディアのレーベル面に、その旨を示すエラー情報を印刷することが好ましい。
【００１３】
本発明のメディア処理システムにおいて、レーベル印刷部は、エラーレート判定部による判定の結果、測定結果が所定の閾値以下である場合、記録済メディアのレーベル面に、測定したエラーレートに関するエラーレート情報を印刷することが好ましい。
【００１４】
また、本発明のメディア処理システムにおいて、エラーレート情報には、エラーレートの最大値およびエラーレートを示すグラフの内の、少なくとも一方が含まれていることが好ましい。
【００１５】
これらの構成によれば、レーベル面にエラーレート情報を印刷することができるため、記録済メディアのエラーレートがどの程度かを容易に認識することができる。また、様々な形式でエラーレート情報を印刷することができるため、その時々の管理基準によって使い分けることができ利便性が良い。例えば、エラーレートの最大値のみが分かれば良い場合は、エラーレートの最大値のみを印刷し、詳細なエラーレート情報が必要な場合は、エラーレートの最大値に加え、エラーレートのグラフを印刷する等、状況に応じて印刷内容を変更することができる。
なお、エラーレート情報としては、上記以外にも、エラーレートの平均値や総エラーレート値を印刷しても良い。
【００１６】
本発明のメディア処理システムは、エラーレート測定部、データ読み取り部、データ書き込み部およびレーベル印刷部を有するメディア処理装置と、エラーレート判定部およびレーベル情報取得部を有する情報処理装置と、から成り、メディア処理装置と情報処理装置とは通信可能に接続されていることを特徴とする。
【００１７】
この構成によれば、メディア処理システムの各部（各機能）をメディア処理装置単体で構成する場合に比べ、メディア処理装置の負荷を低減することができる。
本発明のメディア処理システムの制御方法において、レーベル印刷ステップは、エラーレート判定ステップによる判定の結果、測定結果が所定の閾値を超過した場合、記録済メディアのレーベル面に、その旨を示す情報を印刷することが好ましい。
本発明のメディア処理システムの制御方法において、記録済メディアのウィルスチェックを実行するウィルスチェックステップを、更に実行し、レーベル印刷ステップは、エラーレート判定ステップによる判定の結果、測定結果が所定の閾値を超過した場合、記録済メディアのレーベル面に、その旨を示すエラー情報を印刷し、ウィルスチェックステップによるウィルスチェックの結果、ウィルスが検出された場合、記録済メディアのレーベル面に、その旨を示すエラー情報を印刷することが好ましい。
本発明のメディア処理システムの制御方法において、レーベル印刷ステップは、エラーレート判定ステップによる判定の結果、測定結果が所定の閾値以下である場合、記録済メディアのレーベル面に、測定したエラーレートに関するエラーレート情報を印刷することが好ましい。
本発明のメディア処理装置は、自身のレーベル面に印刷されている情報であるレーベル情報が含まれた所定のデータが書き込まれている記録済メディアのエラーレートを測定するエラーレート測定部と、記録済メディアに記録されている所定のデータを読み取るデータ読み取り部と、エラーレート測定部による測定結果が、予め設定された所定の閾値を超過した場合、データ読み取り部により読み取られた所定のデータを、他のメディアに書き込むデータ書き込み部と、メディアのレーベル面に印刷を行なうレーベル印刷部と、データ読み取り部により読み取られた所定のデータから、レーベル情報を取得するレーベル情報取得部と、を備え、レーベル印刷部は、測定結果が所定の閾値を超過した場合、他のメディアのレーベル面に、レーベル情報に基づく印刷を実行することを特徴とする。
本発明のメディア処理装置において、レーベル印刷部は、測定結果が所定の閾値を超過した場合、記録済メディアのレーベル面に、その旨を示す情報を印刷することが好ましい。
本発明のメディア処理装置において、記録済メディアのウィルスチェックを実行するウィルスチェック部を、更に備え、レーベル印刷部は、測定結果が所定の閾値を超過した場合、記録済メディアのレーベル面に、その旨を示すエラー情報を印刷し、ウィルスチェック部によるウィルスチェックの結果、ウィルスが検出された場合、記録済メディアのレーベル面に、その旨を示すエラー情報を印刷することが好ましい。
本発明のメディア処理装置において、レーベル印刷部は、測定結果が所定の閾値以下である場合、記録済メディアのレーベル面に、測定したエラーレートに関するエラーレート情報を印刷することが好ましい。
【図面の簡単な説明】
【００１８】
【図１】本発明の一実施形態に係るメディア処理システムの機能構成を示すブロック図である。
【図２】ディスク作成処理の処理手順を示すフローチャートである。
【図３】図２のフローチャートの処理過程におけるレーベル面への印刷結果の一例を示す図である。
【図４】図２のフローチャートの処理過程におけるレーベル面への印刷結果の一例を示す図である。
【図５】ディスク検査処理およびディスク複製処理の処理手順を示すフローチャートである。
【図６】図５のフローチャートの処理過程におけるレーベル面への印刷結果の一例を示す図である。
【図７】図５のフローチャートの処理過程におけるレーベル面への印刷結果の一例を示す図である。
【図８】レーベル面へ印刷する印刷内容の他の例を示す図である。
【図９】メディア処理システムの変形例の機能構成を示すブロック図である。
【発明を実施するための形態】
【００１９】
以下、添付の図面を参照し、本発明の一実施形態に係るメディア処理システムおよびメディア処理システムの制御方法について説明する。図１は、本実施形態のメディア処理システムＳＹの機能構成を示したブロック図である。図示のように、メディア処理システムＳＹは、ＣＤ（Compact  Disc）、ＤＶＤ（Digital  Versatile  Disk）やＢＤ（Blu-ray  Disk（登録商標））等の光ディスク（メディア。以下、単に「ディスクＤ（図３参照）」と称す）に対する書き込みや読み取りおよびレーベル面Ｌ（図３参照）の印刷を行なうメディア処理装置１と、メディア処理装置１と接続され、当該メディア処理装置１を制御する情報処理装置２と、により構成されている。
【００２０】
情報処理装置２は、一般的なパーソナルコンピューターやサーバー等により構成され、主要な要素として、ディスク作成用アプリケーション１１、データ記憶部１２、搬送処理制御部１３、記録処理制御部１４、および印刷処理制御部１５を有している。
【００２１】
ディスク作成用アプリケーション１１は、ディスクＤの記録面に書き込むデータの指定やレーベル面Ｌに印刷するレーベル画像（レーベル画像データ）の作成（または指定）を行なうアプリケーションである。また、ディスクＤを作成するための一連の処理（ディスク作成処理）、またはデータが記録されているディスクＤ（記録済みメディア）の状態を検査するための一連の処理（ディスク検査処理，詳細は後述する）をスケジューリングし、搬送処理制御部１３、記録処理制御部１４、および印刷処理制御部１５に対して処理実行を指示することで、メディア処理装置１の各部（後述する）の動作を制御する。なお、ディスク作成用アプリケーション１１は、情報処理装置２のＣＰＵ（図示省略）により実行されるものである。また、上記のディスク検査処理とは、本実施形態のディスク作成処理（または他の装置）により作成されたディスクＤ（即ち、データの書き込みやレーベル面Ｌの印刷が完了しているディスクＤ）を、改めて検査する処理を意味する。
【００２２】
データ記憶部１２は、ディスクＤの記録面に書き込むための各種データ、ディスクＤのレーベル面Ｌに印刷する各種レーベル画像（本実施形態では、サンプルとして予め用意されたレーベル画像や、ディスク作成用アプリケーション１１で作成されたレーベル画像等を意味する）、およびレーベル面Ｌに印刷する各種エラー情報を記憶する。また、ディスクＤから読み取ったデータを一時的に記憶する記憶領域としても用いられる。また、データ記憶部１２は、ディスクＤのエラーレートと当該ディスクＤを識別するための識別情報と、を関連付けたディスク情報を記憶する（詳細は後述する）。なお、エラー情報とは、予めシステムの開発者等により作成された文字情報であり、ディスク作成処理およびディスク検査処理時に発生する可能性のあるエラーに関する情報を意味する。
【００２３】
搬送処理制御部１３は、ディスク作成用アプリケーション１１のスケジューリングに則って、メディア処理装置１のディスク搬送機構４５を制御するためのディスク搬送命令を生成し、これをメディア処理装置１に送信する。
【００２４】
記録処理制御部１４は、ディスク作成用アプリケーション１１のスケジューリングに則って、メディア処理装置１におけるディスクＤに対するデータの書き込み／読み取り、およびディスクＤの検査に関する命令を生成・発行するものであり、書き込み／読み取り命令発行部２１、コンペア命令発行部２２、ウィルスチェック部２３、エラーレート測定命令発行部２４およびエラーレート判定部２５を有している。
【００２５】
書き込み／読み取り命令発行部２１は、データ記憶部１２から指定されたデータあるいは既にディスクＤに記録されているデータを、未使用のディスクＤに書き込むための命令（書き込み命令）をメディア処理装置１に送信する。なお、この書き込み時のデータには、記録対象となるファイルの一覧やディレクトリ構成を示す情報（ファイル情報）、およびレーベル面Ｌに印刷するレーベル画像の情報（レーベル情報）が含まれる。また、ディスクＤに記録されているデータを読み取るための命令（読み取り命令）をメディア処理装置１に送信する。
【００２６】
コンペア命令発行部２２は、ディスクＤに正常にデータが書き込まれたかどうかをチェックするコンペア処理を実行するための命令（コンペア処理命令）をメディア処理装置１に送信する。ウィルスチェック部２３は、ディスクＤに書き込まれているデータのウィルスチェックを実行する。
【００２７】
エラーレート測定命令発行部２４は、ディスクＤのエラーレートを測定するための命令（エラーレート測定命令）をメディア処理装置１に送信する。エラーレート判定部２５は、予め設定されたエラーレートの閾値と、メディア処理装置１で測定したエラーレートの測定結果（エラーレートの最大値）を比較し、測定結果が閾値以下か、閾値を超過したかを判定する。
【００２８】
印刷処理制御部１５は、ディスク作成用アプリケーション１１のスケジューリングに則って、メディア処理装置１におけるレーベル面Ｌの印刷処理に関する命令を生成・発行するものであり、印刷データ生成部３１、印刷命令発行部３２およびレーベル情報取得部３３を有している。レーベル情報取得部３３は、データが記録されたディスクＤのレーベル情報を取得する。
【００２９】
印刷データ生成部３１は、レーベル面Ｌに印刷するための印刷データを生成する。この印刷データとしては、ディスク作成処理が成功した場合（ディスク作成時におけるコンペア処理、ウィルスチェックおよびエラーレート判定処理で問題がなかった場合）、ユーザーにより作成された（あるいは指定された）レーベル画像と、メディア処理装置１で測定したエラーレートに関する情報（以下、「エラーレート情報」と称す）と、に基づいて、ディスクＤのレーベル面Ｌに印刷する印刷データ（後述のレーベル印刷部４３で処理可能な形式の印刷データ）を生成する。
【００３０】
また、既にデータが記録されているディスクＤに対して、その状態を検査するディスク検査処理（ウィルスチェックおよびエラーレート判定処理）が成功した場合、当該検査におけるエラーレート情報に基づいて、ディスクＤのレーベル面Ｌに印刷（追記）するための印刷データを生成する。また、ディスク作成処理時、またはディスク検査処理時にエラーが発生した場合（コンペア処理、ウィルスチェックおよびエラーレート判定処理のいずれかで問題があった場合）、当該エラーの内容を示すエラー情報（データ記憶部１２に記憶されているエラー情報）に基づいた印刷データを生成する。さらに、ディスク検査処理時にエラーが発生した場合、レーベル情報取得部３３により当該エラーが発生したディスクＤのレーベル情報（レーベル面Ｌの印刷内容を示す情報）を取得し、これに基づいた印刷データを生成する。なお、この印刷データは、後述するディスク複製処理において、複製先となるディスクＤのレーベル面Ｌの印刷に用いられる（詳細は後述する）。印刷命令発行部３２は、印刷データ生成部３１によって生成した印刷データおよび当該印刷を実行するための命令（印刷命令）をメディア処理装置１に送信する。
【００３１】
一方、メディア処理装置１は、制御部４１、データ記録部４２、レーベル印刷部４３、ディスク収容部４４およびディスク搬送機構４５を備えている。データ記録部４２は、ディスクＤの記録面に対するデータの書き込み、またはディスクＤの記録面からデータの読み出しを行なうディスクドライブである。レーベル印刷部４３は、ディスクＤのレーベル面Ｌに対して印刷処理を行うプリンターである。なお、本実施形態のレーベル印刷部４３は、インクジェットヘッドを備え、インクジェット方式でレーベル面Ｌの印刷を行う。
【００３２】
ディスク収容部４４は、ディスクＤを収容するものであり、数十枚程度のディスクＤを積載状態で収容する円筒形状の収容ケースで形成されている。本実施形態では、未使用のディスクＤまたは既にデータが記録されているディスクＤをデータ記録部４２に供給するための２つの供給用スタッカー（第１供給用スタッカー４４ａおよび第２供給用スタッカー４４ｂ）と、ディスク作成処理またはディスク検査処理が正常に完了したディスクＤ（成功ディスク）を保管するための第１保管用スタッカー４４ｃと、ディスク作成処理またはディスク検査処理でエラーが発生したディスクＤ（エラーディスク）を保管するための第２保管用スタッカー４４ｄと、を有している。なお、これら各スタッカーの構成は一例であり、適宜変更することが可能である。
【００３３】
ディスク搬送機構４５は、データ記録部４２、レーベル印刷部４３およびディスク収容部４４の間でディスクＤを搬送する機構であり、ディスクＤを把持して水平方向（Ｘ軸方向）に移動させるアーム部と、アーム部を垂直方向（Ｙ軸方向）に移動させるガイドと、ガイドの軸方向に沿って摺動可能でありガイドの軸を中心に回動する駆動部（いずれも図示省略）とを有し、駆動部の駆動に伴ってディスクＤを各部に搬送する。
【００３４】
制御部４１は、情報処理装置２からの各種命令に基づいて、メディア処理装置１の各部を制御するためのものであり、搬送制御部５１、記録制御部５２および印刷制御部５３を有している。搬送制御部５１は、情報処理装置２（搬送処理制御部１３）からのディスク搬送命令に基づいて、ディスク搬送機構４５の動作を制御する。印刷制御部５３は、情報処理装置２（印刷処理制御部１５）からの印刷命令により、レーベル印刷部４３の動作を制御する。
【００３５】
記録制御部５２は、情報処理装置２（記録処理制御部１４）からの各種命令によりデータ記録部４２の動作を制御するものであり、書き込み／読み取り処理部６１、コンペア処理部６２およびエラーレート測定部６３を有している。書き込み／読み取り処理部６１は、情報処理装置２から送信された書き込み命令に基づいて、対象となるデータをディスクＤへ書き込む処理を制御する。また、情報処理装置２から送信された読み取り命令に基づいて、ディスクＤに記録されているデータの読み取り処理を制御する。
【００３６】
コンペア処理部６２は、情報処理装置２から送信されたコンペア命令に基づいて、ディスクＤに書き込んだデータと、その元となる情報処理装置２に記憶されているデータ（実データ）とを比較することにより、ディスクＤに正常にデータが書き込まれたかどうかを判定する。エラーレート測定部６３は、情報処理装置２から送信されたエラーレート測定命令に基づいて、データ書き込み済みのディスクＤのエラーレートを測定し、測定結果を情報処理装置２に送信する。なお、「データ書き込み部」は、記録制御部５２（書き込み処理部６１）およびデータ記録部４２を主要部として構成される。
【００３７】
次に、図２ないし図４を参照して、メディア処理システムＳＹにおけるディスク作成処理について説明する。図２は、ディスク作成処理の処理手順を示すフローチャートであり、図３および図４は、図２のフローチャートの処理過程におけるレーベル面Ｌへの印刷結果を示す図である。なお、ここでは、ディスクＤに記録するデータおよびレーベル画像は指定されているものとする。また、エラーレートに対する閾値は予め設定されているものとする。また、本フローチャートでは、便宜上、データを書き込むための未使用のディスクＤは、第２供給用スタッカー４４ｂにセットされているものとする（もちろん、未使用のディスクＤを第１供給用スタッカー４４ａにセットする場合、あるいは両スタッカー４４ａおよび４４ｂに未使用のディスクＤをセットする場合も、同様のディスク作成処理を実行できることは言うまでもない）。
【００３８】
まず、ユーザー操作により、情報処理装置２がディスク作成処理の開始指示を受けると（Ｓ０１）、情報処理装置２はメディア処理装置１に対してディスク搬送命令を送信し、メディア処理装置１は、当該命令に基づいて第２供給用スタッカー４４ｂに収容されている未使用のディスクＤ（ブランクディスク）をデータ記録部４２に搬送する（Ｓ０２）。次に、情報処理装置２は、メディア処理装置１に対して書き込み命令（書き込み対象となるデータを含む）を送信し、メディア処理装置１は、当該命令に基づいてデータ記録部４２を制御し、ディスクＤに対してデータの書き込みを実行する（Ｓ０３）。
【００３９】
次に、書き込み処理終了後、情報処理装置２は、メディア処理装置１に対してコンペア命令を送信し、メディア処理装置１は、当該命令に基づいてコンペア処理を実行する（Ｓ０４）。このコンペア処理において、ディスクＤに書き込まれたデータと、この元となるデータ（情報処理装置２に記憶されているデータ）とが一致しない場合、即ち、コンペアが失敗した場合（Ｓ０５；Ｎｏ）、情報処理装置２は、コンペア失敗を示す印刷データをメディア処理装置１に送信し、メディア処理装置１はレーベル印刷部４３を制御して受信した印刷データに基づいてレーベル面Ｌに印刷を行なう（Ｓ０６）。即ち、この場合、レーベル面Ｌには、図３（ａ）に示すように、「コンペア処理が失敗した」旨を示すエラー情報（コンペアエラー情報７１）が印刷される。そして、メディア処理装置１は、情報処理装置２から送信されるディスク搬送指令に基づいて、当該ディスクＤをエラーディスクの保管場所である第２保管用スタッカー４４ｄへ搬送する（Ｓ０７）。その後、Ｓ０３で書き込み対象となったデータを用いてディスクＤの再作成処理（ディスク再作成処理）を実行する（Ｓ０１）。即ち、Ｓ０３で書き込み対象となったデータを、再度、他の未使用ディスクに書き込む処理を実行する。この場合、Ｓ０１の処理は、ユーザーからのディスク作成処理の開始指示を受ける（取得する）のではなく、自動的にディスクＤの再作成を実行する（以下で説明するディスク再作成処理においても同様である）。
【００４０】
一方、コンペア処理において、ディスクＤに書き込まれたデータと、この元となるデータ（情報処理装置２に記憶されているデータ）とが一致した場合、即ち、コンペアが成功した場合（Ｓ０５；Ｙｅｓ）、情報処理装置２は、ディスクＤのウィルスチェックを実行する（Ｓ０８）。ウィルスチェックにおいて、ウィルスが検出された場合（Ｓ０９；Ｎｏ）、情報処理装置２は、ウィルス検出結果を示す印刷データをメディア処理装置１に送信し、メディア処理装置１はレーベル印刷部４３を制御して受信した印刷データに基づいてレーベル面Ｌに印刷を行なう（Ｓ１０）。即ち、この場合、レーベル面Ｌには、図３（ｂ）に示すように、「ウィルスが検出された」旨を示すエラー情報（ウィルス検出情報７２）が印刷される。そして、メディア処理装置１は、情報処理装置２から送信されるディスク搬送指令に基づいて、当該ディスクＤをエラーディスクの保管場所である第２保管用スタッカー４４ｄへ搬送する（Ｓ０７）。その後、Ｓ０３で書き込み対象となったデータを用いてディスクＤの再作成処理（ディスク再作成処理）を実行する（Ｓ０１）。なお、図３（ｂ）において、ウィルス感染したファイル名等を印刷するようにしても良い。
【００４１】
一方、ウィルスチェックにおいてウィルスが検出されなかった場合（Ｓ０９；Ｙｅｓ）、情報処理装置２は、メディア処理装置１に対してエラーレート測定命令を送信し、メディア処理装置１は当該命令に基づいてディスクＤのエラーレートを測定する（Ｓ１１）。この測定結果は情報処理装置２に送信される。情報処理装置２は、メディア処理装置１からエラーレートの測定結果を受信すると、当該エラーレート（エラーレートの最大値）が閾値以下か否かを判定する。
【００４２】
エラーレートが閾値を超過している場合（Ｓ１２；Ｎｏ）、情報処理装置２は、エラーレート異常を示す印刷データをメディア処理装置１に送信し、メディア処理装置１は、レーベル印刷部４３を制御して受信した印刷データに基づいてレーベル面Ｌに印刷を行なう（Ｓ１３）。即ち、この場合、レーベル面Ｌには、図３（ｃ）に示すように、「エラーレートが異常である（エラーレートの最大値が閾値を超えた）」旨を示すエラー情報（エラーレート異常情報７３）が印刷される。そして、メディア処理装置１は、情報処理装置２から送信されるディスク搬送指令に基づいて、当該ディスクＤをエラーディスクの保管場所である第２保管用スタッカー４４ｄへ搬送する（Ｓ０７）。その後、Ｓ０３で書き込み対象となったデータを用いてディスクＤの再作成処理（ディスク再作成処理）を実行する（Ｓ０１）。
【００４３】
一方、エラーレートが閾値以下の場合（Ｓ１２；Ｙｅｓ）、情報処理装置２は、メディア処理装置１から受信したエラーレートの測定結果に基づくエラーレート情報と、ユーザーにより作成（または指定）されたレーベル画像とをマージした印刷データを生成し、これをメディア処理装置１に送信し、メディア処理装置１は、レーベル印刷部４３を制御して受信した印刷データに基づいてレーベル面Ｌに印刷を行なう（Ｓ１４）。即ち、この場合、レーベル面Ｌには、図４に示すように、レーベル画像（同図では、タイトル８１、保存データ形式８２、管理番号８３、作成年月日８４（Create  Date）および所有者名８５（作成者名）に相当）に加え、エラーレート情報（同図では、エラーレート測定年月日８６（Error  Rate  Check  Date）およびエラーレート最大値８７（MAX  Error  Rate，一例として、ＤＶＤのエラーレート最大値を示す））が印刷される。
【００４４】
また、この時、情報処理装置２はエラーレートの測定結果と、当該エラーレートを測定したディスクＤの識別情報とを関連付けたディスク情報を、データ記憶部１２に記憶してもよい。なお、ここで言う識別情報とは、ディスクＤを特定するための情報であり、上記Ｓ１４でレーベル面Ｌに印刷した内容（即ち、参照番号：８１〜８５の内容）と同じ情報（レーベル情報）である。このディスク情報を用いることで、大量のディスクＤを管理する場合に、作成したディスクＤのエラーレートを容易に把握することができ、ディスク管理を簡単に行なうことができる。
【００４５】
そして、メディア処理装置１は、情報処理装置２から送信されるディスク搬送指令に基づいて、当該ディスクＤを成功ディスクの保管場所である第１保管用スタッカー４４ｃへ搬送し（Ｓ１５）、その後、次のディスクＤの作成処理（次の書き込み対象となるデータを用いたディスク作成処理）を実行する（Ｓ０１）。
【００４６】
なお、上述のコンペア処理、ウィルスチェックおよびエラーレート判定のいずれかの処理で異常となったディスクＤの再作成処理（ディスク再作成処理）は、予め設定された所定の回数（例えば、３回や５回等）だけ繰り返し行なわれ、ディスク再作成の回数が、設定された回数に達した場合は、ディスク再作成処理を停止し、次のディスク作成処理、即ち、次の書き込み対象となるデータを用いたディスク作成処理に移行する。
【００４７】
次に、図５および図７を参照して、メディア処理システムＳＹにおけるディスク検査処理およびこれに関連するディスク複製処理について説明する。図５は、ディスク検査処理およびディスク複製処理の処理手順を示すフローチャートであり、図６および図７は、図５のフローチャートの処理過程におけるレーベル面Ｌへの印刷結果を示す図である。上述のように、このディスク検査処理は、既にデータの書き込みやレーベル印刷が行なわれているディスクＤ（記録済メディア）を、その作成時期から所定期間経過後（例えば、ディスクＤを作成してから３年後など）に改めて検査する場合の処理である。
【００４８】
なお、本フローチャートでは、図２のディスク作成処理で作成された１枚以上のディスクＤ（レーベル面Ｌには、図４に示す情報が印刷されている）を、検査対象となるディスクＤ（以下、「マスターディスク」と称す）として使用するものとする。また、本フローチャートでは、マスターディスクが第１供給用スタッカー４４ａにセットされ、未使用のディスクＤ（ブランクディスク）が第２供給用スタッカー４４ｂにセットされているものとする。また、エラーレートの閾値は予め設定されているものとする。
【００４９】
まず、ユーザー操作により、情報処理装置２がディスク検査処理の開始指示を受けると（Ｓ２１）、情報処理装置２はメディア処理装置１に対してディスク搬送命令を送信し、メディア処理装置１は、当該命令に基づいて第１供給用スタッカー４４ａに収容されているマスターディスクをデータ記録部４２に搬送する（Ｓ２２）。
【００５０】
次に、情報処理装置２は、当該マスターディスクに対してウィルスチェックを実行する（Ｓ２３）。ウィルスチェックにおいて、ウィルスが検出された場合（Ｓ２４；Ｎｏ）、情報処理装置２は、ウィルス検出結果を示す印刷データをメディア処理装置１に送信し、メディア処理装置１はレーベル印刷部４３を制御して、マスターディスクのレーベル面Ｌに、受信した印刷データに基づく印刷を行なう（Ｓ２５）。即ち、この場合、レーベル面Ｌには、図６（ａ）に示すように、「ウィルスが検出された」旨を示すエラー情報（ウィルス検出情報７２）が追記（印刷）される。
【００５１】
そして、メディア処理装置１は、情報処理装置２から送信されるディスク搬送指令に基づいて、当該マスターディスクをエラーディスクの保管場所である第２保管用スタッカー４４ｄへ搬送し（Ｓ２６）、その後、検査処理を中断する（Ｓ２７）。即ち、マスターディスクに記録されているデータ自体がウィルス感染しているため（マスターディスクのデータが利用できない状態であるため）、ユーザーによる対処待ちの状態になる。なお、図６（ａ）において、ウィルス感染しているファイル名等を印刷しても良い。
【００５２】
一方、ウィルスチェックにおいてウィルスが検出されなかった場合（Ｓ２４；Ｙｅｓ）、情報処理装置２は、メディア処理装置１に対してエラーレート測定命令を送信し、メディア処理装置１は当該命令に基づいてマスターディスクのエラーレートを測定する（Ｓ２８，エラーレート測定ステップ）。この測定結果は情報処理装置２に送信される。情報処理装置２は、メディア処理装置１からエラーレートの測定結果を受信すると、当該エラーレート（エラーレートの最大値）が閾値以下か否かを判定する（エラーレート判定ステップ）。
【００５３】
エラーレートが閾値以下の場合（Ｓ２９；Ｙｅｓ）、情報処理装置２は、メディア処理装置１から受信したエラーレートの測定結果に基づいてエラーレート情報を示す印刷データを生成し、これをメディア処理装置１に送信し、メディア処理装置１は、レーベル印刷部４３を制御して、マスターディスクのレーベル面Ｌに、受信した印刷データに基づく印刷を行なう（Ｓ３０）。即ち、この場合、レーベル面Ｌには、図７に示すように既にマスターディスクの作成時に印刷されているレーベル画像（タイトル８１、保存データ形式８２、管理番号８３、作成年月日８４（Create  Date）、所有者名８５（作成者名））およびエラーレート情報（ディスク作成時のエラーレート測定年月日８６（Error  Rate  Check  Date）およびエラーレート最大値８７（MAX  Error  Rate））に加え、今回のディスク検査処理におけるエラーレート情報（ディスク検査時のエラーレート測定年月日９１（Error  Rate  Check  Date）およびエラーレート最大値９２（MAX  Error  Rate））が追記（印刷）されることになる。そして、メディア処理装置１は、情報処理装置２から送信されるディスク搬送指令に基づいて、当該マスターディスクを成功ディスクの保管場所である第１保管用スタッカー４４ｃへ搬送し（Ｓ３１）、その後、次のマスターディスクのディスク検査処理を実行する（Ｓ０１）。
【００５４】
一方、エラーレートが閾値を超過している場合（Ｓ２９；Ｎｏ）、情報処理装置２は、メディア処理装置１に対してマスターディスクの読み取り命令を送信し、当該命令により読み取ったマスターディスクのデータを、自身のデータ記憶部１２に保存（退避）する（Ｓ３２）。このデータの保存処理が成功しなかった場合、即ち、マスターディスクのデータが完全に読み取れなかった場合（Ｓ３３；Ｎｏ）、メディア処理装置１および情報処理装置２は、処理を中断する（Ｓ３４）。即ち、マスターディスクに記録されているデータが利用できない状態（データ消失と同様の状態）になっているため、ユーザーによる対処待ちの状態になる。
【００５５】
一方、データの保存処理が成功した場合、即ち、マスターディスクのデータが完全に読み取れた場合（Ｓ３３；Ｙｅｓ）、情報処理装置２は、エラーレート異常を示す印刷データをメディア処理装置１に送信し、メディア処理装置１は、レーベル印刷部４３を制御して、マスターディスクのレーベル面Ｌに、受信した印刷データに基づく印刷を行なう（Ｓ３５）。即ち、この場合、レーベル面Ｌには、図６（ｂ）に示すように、「エラーレートが異常である（エラーレートの最大値が閾値を超えた）」旨を示すエラー情報（エラーレート異常情報７３）が追記（印刷）される。そして、メディア処理装置１は、情報処理装置２から送信されるディスク搬送指令に基づいて、当該マスターディスクをエラーディスクの保管場所である第２保管用スタッカー４４ｄへ搬送する（Ｓ３６）。次に、情報処理装置２は、マスターディスクのレーベル情報を取得する。即ち、Ｓ３２で保存したマスターディスクのデータからレーベル情報を取得する（Ｓ３７）。その後、マスターディスクの複製（コピー）を作成する処理（ディスク複製処理）を実行する（Ｓ３８，データ書き込みステップ）。
【００５６】
このディスク複製処理では、上述の図２に示すディスク作成処理のＳ０１〜Ｓ１４と同様の処理を実行する。但し、未使用のディスクＤ（ブランクディスク）には、本フローのＳ３２の処理でデータ記憶部１２に保存したマスターディスクのデータを書き込むことになる。また、未使用のディスクＤのレーベル面Ｌに印刷する印刷データは、ユーザーにより作成（または指定）されたレーベル画像（図２のＳ１４参照）の代わりに、上記Ｓ３７で取得したレーベル情報に基づいて生成された印刷データ（詳しくは、Ｓ３７で取得したレーベル情報およびＳ２８で測定したエラーレート情報をマージした印刷データ）を用いることになる。これ以外の点については同様であるため、説明を省略する。
【００５７】
そして、Ｓ３７のディスク複製処理で、マスターディスクの複製が正常に作成されると（図２におけるＳ１４までの処理が完了すると）、メディア処理装置１は、情報処理装置２から送信されるディスク搬送指令に基づいて、当該ディスクＤ（マスターディスクの複製）を成功ディスクの保管場所である第１保管用スタッカー４４ｃへ搬送し（Ｓ３９）、その後、次のマスターディスクの検査処理を実行する（Ｓ２１）。
【００５８】
なお、本フローでは、マスターディスクに異常があった場合、処理を中断しているが（Ｓ２７およびＳ３４）、当該処理の中断をユーザーに通知した後（例えば、情報処理装置２のディスプレイ（図示省略）などでメッセージ表示）、次のマスターディスクの検査処理を開始しても良い。即ち、Ｓ２７およびＳ３４の処理後、Ｓ０１以降の処理を継続しても良い。
【００５９】
以上のように、本実施形態によれば、既にデータが書き込まれているディスクＤ（記録済メディア，図７のマスターディスクに相当）のエラーレートを測定することにより、当該ディスクＤの品質（劣化程度）を判定することができる。さらに、エラーレートが閾値を超過している場合、即ち、ディスクＤの劣化が進んでいる場合、当該ディスクＤのデータを他の未使用ディスクに書き込むことにより、元のディスクＤの複製（コピー）を作成することができる。これにより、データを長期保存する必要がある場合、保存対象となるディスクＤの劣化によるデータ消失を予防すると共に、容易に、データの長期保存に適した品質を担保した新たなディスクＤ（ディスクＤの複製）を作成することができる。特に、大量のディスクＤの状態を定期的に検査（確認）する必要がある場合においては、その検査作業にかかる手間を低減する（省力化する）ことができる。
【００６０】
なお、本実施形態では、ディスク検査処理において検査対象のディスクＤ（マスターディスク）として、ディスク作成処理で作成されたディスクＤを例示しているが、これに限るものではない。例えば、他の装置（例えば、本システムＳＹ以外のパーソナルコンピューターやシステム）で作成されたディスクＤを検査対象とすることも可能である。
【００６１】
また、本実施形態では、ディスク作成処理時およびディスク検査処理時においてエラーレート情報として、エラーレート測定年月日８６、９１およびエラーレート最大値８７、９２（いずれも図４および図７参照）をレーベル面Ｌに印刷しているが、これに限るものではなく、例えば、図８（ａ）および図８（ｂ）に示すように、エラーレートのグラフＧを印刷しても良い。また、エラーレート情報として、エラーレートの平均値や総エラーレート値、あるいはエラーレートの閾値を合わせて印刷しても良い。
【００６２】
また、本実施形態におけるレーベル面Ｌに対する各種情報（レーベル画像、エラーレート情報およびエラー情報）の印刷位置は、あくまでも一例であり、これに限るものではない。特に、ディスク検査処理（図５のＳ３０）において、レーベル面Ｌにエラーレート情報を追記（印刷）する場合、既にレーベル面Ｌに印刷されている情報と重畳する場合が考えられる。これを回避するために、例えば、メディア処理装置１にカメラ（図示省略）を配置し、当該カメラによりレーベル面Ｌの空き位置（情報が印刷されていない位置）を検出して、当該検出位置にエラーレート情報を追記しても良い。また、重畳しても判別できるように、追記するエラーレート情報の文字色を、既に印刷されているレーベル面Ｌの情報とは異なる文字色で印刷しても良い。
【００６３】
また、本実施形態におけるレーベル画像を構成する情報（参照番号８１〜８５）は一例であり、これに限るものではない。これらは、ディスク作成時の仕様に基づいて、適宜変更することが可能である。
【００６４】
また、本実施形態では、ディスク作成処理時およびディスク検査処理時において、成功ディスクおよびエラーディスクを、それぞれ第１保管用スタッカー４４ｃおよび第２保管用スタッカー４４ｄに分散して保管（搬送）する構成としているが、これに限るものではない。例えば、保管用スタッカーを１つにし、これに成功ディスクとエラーディスクの両方を保管（搬送）する構成としても良い。
【００６５】
また、本実施形態では、ディスクＤに対して、コンペア、ウィルスチェック、およびエラーレート測定（ディスク検査処理においては、ウィルスチェック、エラーレート測定）を行なっているが、この処理の順番は一例であり、任意に変更することも可能である。
【００６６】
また、本実施形態では、ディスク情報を情報処理装置２のデータ記憶部１２に保存しているが、これに限るものではなく、例えば、情報処理装置２と接続される外部機器（図示省略）に保存しても良い。
【００６７】
また、本実施形態では、ディスク複製処理において、複製元のディスクＤ（マスターディスク）のデータからレーベル情報を取得し、このレーベル情報を用いて複製先のディスクＤのレーベル面Ｌに印刷する印刷データを生成しているが、これに限るものではない。例えば、ディスク作成処理においてデータ記憶部１２に保存するディスク情報として（または上記外部機器に保存するディスク情報として）、エラーレートの測定結果および識別情報（レーベル情報）に加え、ディスクＤのボリュームラベルを関連付けて保存しておき、このディスク情報から複製元のディスクＤ（マスターディスク）のボリュームラベルと関連付けられた識別情報（レーベル情報）を取得し、これを用いて印刷データを生成しても良い。
【００６８】
また、本実施形態のメディア処理システムＳＹの変形例として、図９に示すように、情報処理装置２に、２台のメディア処理装置１０１および１０２を接続する構成としても良い。この２台のメディア処理装置１０１および１０２の基本的な構成は、図１のメディア処理装置１と同様であるが、両メディア処理装置１０１および１０２には、供給用スタッカー１０３が１つずつしかない点で異なっている（情報処理装置２の構成は図１と同様である）。この場合、一方のメディア処理装置１０１がディスク検査処理用として機能し、他方のメディア処理装置１０２がディスク作成処理用として機能し、情報処理装置２はこれらメディア処理装置１０１および１０２に対して各種命令を切り分けて発行する。
【００６９】
即ち、メディア処理装置１０１の供給用スタッカー１０３にマスターディスクをセットし、メディア処理装置１０２の供給用スタッカー１０３に未使用のディスクＤ（ブランクディスク）をセットしておき、情報処理装置２による各種処理制御の元、図５のフローチャートにおけるＳ２１〜Ｓ３６の処理（ディスク検査処理）をメディア処理装置１０１で実行し、Ｓ３７およびＳ３８の処理（ディスク複製処理）をメディア処理装置１０２で実行する。このように、メディア処理装置を２台構成にすることにより、ディスクＤの検査処理と、ディスクＤの複製処理（作成処理）とを、並列で行なうことができるため、処理時間の短縮を図ることができる。なお、変形例においても、成功ディスクおよびエラーディスクを、同一の保管用スタッカーに保管（搬送）しても良い。
【００７０】
また、本発明のメディア処理システムＳＹをメディア処理装置１のみで実現しても良い。
【００７１】
また、上記した、メディア処理システムＳＹ（変形例も含む）の各構成要素をプログラムとして提供することも可能である。また、そのプログラムを記憶媒体（図示省略）に格納して提供することも可能である。記録媒体としては、ＣＤ−ＲＯＭ、フラッシュＲＯＭ、メモリカード（コンパクトフラッシュ（登録商標）、スマートメディア、メモリースティック等）、コンパクトディスク、光磁気ディスク、デジタルバーサタイルディスクおよびフレキシブルディスク等を利用することができる。
【００７２】
また、上述した実施例および変形例によらず、メディア処理システムＳＹの装置構成や処理工程等について、本発明の要旨を逸脱しない範囲で、適宜変更も可能である。
【符号の説明】
【００７３】
１…メディア処理装置  ２…情報処理装置  ２５…エラーレート判定部  ４２…データ記録部  ４３…レーベル印刷部  ６３…エラーレート測定部  ７３…エラーレート異常情報  ８６…エラーレート測定年月日  ８７…エラーレート最大値  ＳＹ…メディア処理システム  Ｄ…ディスク  Ｌ…レーベル面  Ｇ…グラフ
【図１】
0005796317.tif 000002
【図２】
0005796317.tif 000003
【図３】
0005796317.tif 000004
【図４】
0005796317.tif 000005
【図５】
0005796317.tif 000006
【図６】
0005796317.tif 000007
【図７】
0005796317.tif 000008
【図８】
0005796317.tif 000009
【図９】
0005796317.tif 000010